(57)【要約】【課題】測定しながらその測定結果を用紙に記録できる電気テスターを提供する。【解決手段】電気テスター１０は、測定器本体１、第１テストリード線２１ｒ、及び第２テストリード線２２ｒを備える。又、電気テスター１０は、第１テスト端子２１ｔと第２テスト端子２２ｔを備える。更に、電気テスター１０は、リストバンド３とフィンガーバンド４を備える。一方の手首Ｗｒに測定器本体１を装着できると共に、手首Ｗｒの先の指Ｆに第１テスト端子２１ｔを装着できる。第２テスト端子２２ｔをワニ口クリップで構成している。第２テスト端子２２ｔで測定対象Ｂの一部を挟持した状態で、片手Ｈに装着した接触ピン２１ｐを測定対象Ｂに接触して、測定対象Ｂを測定できる。片手Ｈで測定対象Ｂを測定しながら、空いている片手Ｈで筆記具Ｐｅを掴み、用紙Ｐに測定結果を記録できる。【選択図】図１
2016095187.tif 000002
【特許請求の範囲】
【請求項１】
少なくとも手首に装着できる程度の大きさを有するハンディタイプの電気テスターであって、
一組の測定用端子を有する測定器本体と、
一方の前記測定用端子に接続自在な第１テストリード線と、
他方の前記測定用端子に接続自在な第２テストリード線と、
前記第１テストリード線の先端部に設け、測定対象物に接触できる第１テスト端子と、
前記第２テストリード線の先端部に設け、測定対象物に接触できる第２テスト端子と、
前記測定器本体の表示面が外部を向くように、当該測定器本体を一方の手首に装着自在に固定するリストバンドと、
一方の手首から手の甲側を前記第１テストリード線が通過するように、前記第１テスト端子を指に装着自在に固定するフィンガーバンドと、を備え、
前記第１テスト端子は、一方の手の指先から突出する接触ピンを有し、
前記第２テスト端子は、測定対象の一部を挟持できるワニ口クリップで構成している、電気テスター。
【請求項２】
前記第１テストリード線及び前記第２テストリード線は、螺旋状に巻回して長手方向に伸縮自在なスパイラルコードからなり、
伸長状態及び収縮状態では、前記第２テストリード線は前記第１テストリード線より長く構成している、請求項１記載の電気テスター。
【請求項３】
前記測定器本体が測定値をアナログ表示しているアナログテスターからなる、請求項１又は２記載の電気テスター。
【発明の詳細な説明】
【技術分野】
【０００１】
本発明は、電気テスターに関する。特に、電圧又は電流を測定しながら、測定結果を用紙に記録できるハンディタイプの電気テスターの構造に関する。
【背景技術】
【０００２】
事業所では、電気機器を保守点検するために、携帯に便利なアナログテスター又はデジタルテスターを用いて、電気機器の電圧・電流などを測定している。アナログテスターは、測定器本体に配置した指示計により、測定値をアナログ表示している。デジタルテスターは、測定値をアナログ−デジタル変換して、測定器本体に配置した表示器に数値表示している。
【０００３】
一般に、アナログテスター又はデジタルテスターなどの回路計（以下、電気テスターという）は、測定器本体に設けた測定用端子に接続自在な一組のテストリード棒を備えている。テストリード棒は、テストリード線を延出している。測定器本体とテストリード棒は、テストリード線で接続できる。そして、これらのテストリード棒の先端部に設けた接触ピンを測定対象に接触させることで、電圧などを測定している。
【０００４】
電線に巻付バインドを巻き付ける場合、又は電線から巻付バインドを取り外す場合には、先端工具が用いられている。先端工具は、絶縁操作棒の先端部に取り付けられている。絶縁操作棒は、無停電状態で電気工事を実施する間接活線工事に適している。
【０００５】
ところで、電気機器の電圧・電流などを測定する場合には、一組のテストリード棒を個別に把持して操作する必要があることから、両手が塞がっている。このため、測定器本体を測定対象の近くの作業机や床などに載置して、測定作業を実施している。
【０００６】
このような作業状況では、テストリード線に牽引されて、測定器本体が作業机から落下する心配があった。又、テストリード棒の接触先を変える度に、測定器本体の配置を変える必要があった。
【０００７】
このような不具合を解消するため、ハンディタイプの測定器本体にリストバンドを設けた電気テスターが開示されている（例えば、特許文献１参照）。
【０００８】
特許文献１による電気テスターは、一方の腕に測定器本体を装着した状態で移動でき、かつ、両手でテストリード棒を把持できるので、測定器本体を損傷させる心配が無くなる、としている。
【０００９】
又、前述したような作業状況では、例えば、測定レンジを変更する場合には、一方の手に把持したテストリード棒を離して、測定器本体に設けたロータリースイッチを操作する必要がある。このように、従来の電気テスターは、測定作業を中断する必要があるので、作業効率が損なわれて不便であるという不具合があった。
【００１０】
このような不具合を解消するため、電気テスターを不使用時には、一組のテストリード線付きテストリード棒を測定器本体の内部に収納でき、測定レンジを変更するなど片手を空けておくことが予想される場合には、接触ピンが突出するように、一方のテストリード棒を測定器本体に保持でき、測定器本体から延出されたテストリード線に接続した他方のテストリード棒を片手で把持できる、電気テスターが開示されている（例えば、特許文献２参照）。
【００１１】
特許文献２による電気テスターは、空いている片手を用いて、必要な操作を実施できるので、測定作業を効率よく円滑に遂行できると、している。
【先行技術文献】
【特許文献】
【００１２】
【特許文献１】実開昭６３−２００１６９号公報
【特許文献２】特開２００１−７４７７３号公報
【発明の概要】
【発明が解決しようとする課題】
【００１３】
しかしながら、電気テスターを用いて、電圧や電流を測定する場合には、その測定データ又は測定結果を随時、用紙に記録する必要に迫られることがある。この場合、両手はテストリード棒で塞がっているので、測定結果を他の要員に記録してもらう、又は、測定作業を中断して、自分で用紙に測定結果を記録していた。このため、作業効率が損なわれると共に、不便であった。
【００１４】
特許文献１による電気テスターは、測定器本体を損傷させる心配は無いが、両手はテストリード棒で塞がっているので、測定しながら、その測定結果を用紙に記録することは困難である。
【００１５】
特許文献２による電気テスターは、その明細書には明示されていないが、測定器本体に保持された一方のテストリード棒を測定対象に接触させて、測定することを前提にしている。
【００１６】
測定しながら、その測定結果を用紙に記録するためには、特許文献２による電気テスターは、結局のところ、測定器本体を他の要員に把持してもらう必要があった。測定器本体を測定対象の近傍に粘着テープなどで固定する方向も考えられるが、測定対象が変わる度に測定器本体を着脱するため、作業効率を損ねるという問題がある。
【００１７】
以上のことから、測定しながらその測定結果を用紙に記録できる、作業効率に優れた電気テスターが求められていた。そして、以上のことが本発明の課題といってよい。
【００１８】
本発明は、このような課題に鑑みてなされたものであり、測定しながらその測定結果を用紙に記録できる、作業効率に優れた電気テスターを提供することを目的とする。
【課題を解決するための手段】
【００１９】
本発明者らは、リストバンドで測定器本体を手首に固定すると共に、フィンガーバンドで指に一方のテスト端子を固定し、他方のテスト端子をワニ口クリップで構成することで、測定しながら測定結果を記録することができると考え、これに基づいて、以下のような新たな電気テスターを発明するに至った。
【００２０】
（１）本発明による電気テスターは、少なくとも手首に装着できる程度の大きさを有するハンディタイプの電気テスターであって、一組の測定用端子を有する測定器本体と、一方の前記測定用端子に接続自在な第１テストリード線と、他方の前記測定用端子に接続自在な第２テストリード線と、前記第１テストリード線の先端部に設け、測定対象物に接触できる第１テスト端子と、前記第２テストリード線の先端部に設け、測定対象物に接触できる第２テスト端子と、前記測定器本体の表示面が外部を向くように、当該測定器本体を一方の手首に装着自在に固定するリストバンドと、一方の手首から手の甲側を前記第１テストリード線が通過するように、前記第１テスト端子を指に装着自在に固定するフィンガーバンドと、を備え、前記第１テスト端子は、一方の手の指先から突出する接触ピンを有し、前記第２テスト端子は、測定対象の一部を挟持できるワニ口クリップで構成している。
【００２１】
（２）前記第１テストリード線及び前記第２テストリード線は、螺旋状に巻回して長手方向に伸縮自在なスパイラルコードからなり、伸長状態及び収縮状態では、前記第２テストリード線は前記第１テストリード線より長く構成していることが好ましい。
【００２２】
（３）前記測定器本体が測定値をアナログ表示しているアナログテスターからなることが好ましい。
【発明の効果】
【００２３】
本発明による電気テスターは、第２テスト端子で測定対象の一部を挟持した状態で、片手に装着した接触ピンを測定対象に接触して、測定対象を連続的に又は断続的に測定できる。そして、片手Ｈで測定対象を測定しながら、作業者は、空いている片手で筆記具を掴み、用紙に測定結果を記録することができる。
【図面の簡単な説明】
【００２４】
【図１】本発明の一実施形態による電気テスターの構成を示す斜視図である。
【図２】前記実施形態による電気テスターの構成を示す平面図であり、一方の第１テスト端子の先端部に設けた接触ピンを測定対象に接触した状態図ある。
【図３】空いている片手で測定結果を用紙に記録している状態を示す平面図である。
【発明を実施するための形態】
【００２５】
以下、図面を参照して本発明を実施するための形態を説明する。
［電気テスターの構成］
最初に、本発明の一実施形態による電気テスターの構成を説明する。
【００２６】
図１は、本発明の一実施形態による電気テスターの構成を示す斜視図である。図２は、前記実施形態による電気テスターの構成を示す平面図であり、一方の第１テスト端子の先端部に設けた接触ピンを測定対象に接触した状態図ある。図３は、空いている片手で測定結果を用紙に記録している状態を示す平面図である。
【００２７】
図１又は図２を参照すると、本発明の一実施形態による電気テスター１０は、測定器本体１、第１テストリード線２１ｒ、及び第２テストリード線２２ｒを備えている。又、電気テスター１０は、第１テスト端子２１ｔと第２テスト端子２２ｔを備えている。更に、電気テスター１０は、リストバンド３とフィンガーバンド４を備えている。
【００２８】
図１又は図２を参照すると、測定器本体１は、手首Ｗｒに装着できる程度の大きさを有している。又、測定器本体１は、一組の測定用端子１ｔ・１ｔを有している。第１テストリード線２１ｒは、一方の測定用端子１ｔに接続できる。同様に、第２テストリード線２２ｒは、他方の測定用端子１ｔに接続できる。
【００２９】
図１又は図２を参照すると、第１テスト端子２１ｔは、第１テストリード線２１ｒの先端部に設けられている。第１テスト端子２１ｔは、電源バーなどの測定対象物Ｂに接触できる（図２参照）。同様に、第２テスト端子２２ｔは、第２テストリード線２２ｒの先端部に設けられている。第２テスト端子２２ｔは、電源バーなどの測定対象物Ｂに接触できる（図２参照）。
【００３０】
図１又は図２を参照すると、リストバンド３は、測定器本体１の表示面が外部を向くように、測定器本体１を一方の手首Ｗｒに装着自在に固定できる。リストバンド３は、一方の手首Ｗｒに巻回する帯状の第１面ファスナと、測定器本体１の裏面に貼着された矩形の第２面ファスナで構成することが好ましく、リストバンド３に測定器本体１を容易に着脱できる。又、手首Ｗｒに対して、測定器本体１の向きを変えることもできる。
【００３１】
図１又は図２を参照すると、フィンガーバンド４は、第１テスト端子２１ｔを指Ｆに装着自在に固定できる。この場合、一方の手首Ｗｒから手Ｈの甲側を第１テストリード線２１ｒが通過するように、第１テストリード線２１ｒを配置することが好ましい。
【００３２】
図１又は図２を参照して、フィンガーバンド４は、一方の面（オモテ面）と他方の面（ウラ面）が相互に着脱自在な帯状の第３面ファスナで構成することが好ましい。フィンガーバンド４を第１テスト端子２１ｔと共に指Ｆに巻回し、フィンガーバンド４の端部同士を係止することで、第１テスト端子２１ｔを指Ｆに固定できる。フィンガーバンド４を弛めれば、接触ピン２１ｐを指先から更に突出することもできる。
【００３３】
図１又は図２を参照すると、第１テスト端子２１ｔは、一方の手Ｈの指先から突出する接触ピン２１ｐを有している。一方、第２テスト端子２２ｔは、測定対象Ｂの一部を挟持できるワニ口クリップで構成している。
【００３４】
図１又は図２を参照すると、第１テストリード線２１ｒは、螺旋状に巻回して長手方向に伸縮自在なスパイラルコードで構成している。同様に、第２テストリード線２２ｒは、螺旋状に巻回して長手方向に伸縮自在なスパイラルコードで構成している。スパイラルコードが伸長状態及び収縮状態では、第２テストリード線２２ｒは第１テストリード線２１ｒより長く構成している。
【００３５】
図１又は図２を参照して、電気テスター１０は、測定器本体１が測定値をアナログ表示しているアナログテスターからなることが好ましい。測定器本体１は、その外形寸法が１００ｍｍ（高さ）×６９ｍｍ（幅）×３２ｍｍ（厚さ）からなる市販のカスタム・アナログテスターを使用でき、手首Ｗｒに装着できる程度の大きさを有している。測定器本体１の外形色とリストバンド３とは、色相を異ならせておくことが好ましい。
【００３６】
［電気テスターの作用］
次に、実施形態による電気テスター１０の作用及び効果を説明する。図１又は図２を参照すると、電気テスター１０は、一方の手首Ｗｒに測定器本体１を装着できると共に、手首Ｗｒの先の指Ｆに第１テスト端子２１ｔを装着できる。又、電気テスター１０は、第２テスト端子２２ｔをワニ口クリップで構成している。
【００３７】
以上の構成により、第２テスト端子２２ｔで測定対象Ｂの一部を挟持した状態で、片手Ｈに装着した接触ピン２１ｐを測定対象Ｂに接触して、測定対象Ｂを連続的に又は断続的に測定できる。そして、図２に示すように、片手Ｈで測定対象Ｂを測定しながら、図３に示すように、作業者Ｍは、空いている片手Ｈで筆記具Ｐｅを掴み、用紙Ｐに測定結果を記録することができる。
【００３８】
又、図１又は図２を参照すると、電気テスター１０は、第１テストリード線２１ｒ及び第２テストリード線２２ｒを伸縮自在なスパイラルコードで構成すると共に、第２テストリード線２２ｒを第１テストリード線２１ｒより長く構成している。
【００３９】
上記の構成により、指Ｆと手首Ｗｒの間で、第１テストリード線２１ｒが必要以上に垂れ下がることを防止できる。又、測定対象Ｂと手首Ｗｒの間で、第２テストリード線２２ｒが必要以上に垂れ下がることを防止できる。
【００４０】
更に、図１又は図２を参照すると、電気テスター１０をアナログテスターで構成しているので、微小な誤差の改善、及び突入時の電流の観測が容易となる。
【００４１】
本発明による電気テスターは、以下の効果が期待できる。
（１）片手で測定できるため、空いている片手で測定結果を記録できる。これにより、作業効率を向上できる。
（２）測定器本体を手首に固定できるため、測定結果を観測しながら測定できる。
（３）測定器本体を腕の上に自由に移動できる。
（４）テストリード線をスパイラルコードで構成しているので、不要な垂れ下がりを防止でき、測定作業を阻害することが無くなる。
【符号の説明】
【００４２】
１  測定器本体
３  リストバンド
４  フィンガーバンド
１０  電気テスター
２１ｒ  第１テストリード線
２１ｔ  第１テスト端子
２２ｒ  第２テストリード線
２２ｔ  第２テスト端子（ワニ口クリップ）
【図１】
2016095187.tif 000003
【図２】
2016095187.tif 000004
【図３】
2016095187.tif 000005